(57)【特許請求の範囲】
【請求項１】
ヒューズに対して直角に配設した２個の導電部材をヒューズの両端部に接続し、全体としてコ字状の部材とするとともに、複数種類のヒューズに対応するこのヒューズを固定するボルトのための複数個の孔を各導電部材にそれぞれ設けた一方の導体と、
コ字状の上辺と下辺とを接続する部材が起立するように折曲した折曲部を有し、この折曲部がヒューズと隣接するとともにヒューズを含めた一方の導体と相対向する充電部の面積がほぼ等しくなるように形成した他方の導体とを
絶縁部材を介して重ね合わせたことを特徴とする電力変換装置の導体の構造。
【発明の詳細な説明】
【０００１】
【発明の属する技術分野】
本発明は電力変換装置の導体構造に関し、特にインバータ装置、ＣＶＣＦ装置及び回生機能付コンバータ装置等に適用して有用なものである。
【０００２】
【従来の技術】
電力変換装置、例えばインバータ装置において、その導体の構造はサージ電圧を低く抑えるために非常に重要である。サージ電圧を低く抑えるためにはプラス側導体（Ｐ導体）及びマイナス側導体（Ｎ導体）間の距離をできるだけ小さくする必要がある。このため、一般的にＰ導体及びＮ導体は重ね合わせた構造を採っているが、このときインバータ回路を保護するため、Ｐ導体若しくはＮ導体の途中にヒーズを介在させる必要がある。
【０００３】
図２は従来技術に係るこの種の導体構造を示す斜視図である。本例ではＰ導体１ａにヒューズを介在させてあるが、これは逆であっても勿論良い。同図に示すように、矩形のバーであるＰ導体１ａ、１ｂはヒューズ２を介して接続してある。このようにヒューズ２と一体化したＰ導体１ａ、１ｂは、ヒューズ２も含めたこの状態で相互に対向する面積がほぼ同一になるように形成した矩形のバーであるＮ導体３上に絶縁紙４を介して載置してある。このときＰ導体１ａ、１ｂの端部には、かしめによりボルト５ａ、５ｂが垂直に立設してあり、このボルト５ａ、５ｂにヒューズ２の両端部の端子板２ａ、２ｂに形成した孔を挿入し、ナット（図示せず）で締め付けることにより固定している。
【０００４】
なお、図３は一般的なインバータ装置を示すブロック線図であるが、上記Ｐ導体１ａ、１ｂ及びＮ導体３は図３の太線部分であり、直流電源６側の平滑用の電解コンデンサ７とインバータ回路８との間に接続してある。
【０００５】
【発明が解決しようとする課題】
インバータ装置を始めとして一般に、電力変換装置には多くの容量系列があり各容量でヒューズ２の大きさが異なっている。
【０００６】
ところが、上記従来技術ではＰ導体１ａ、１ｂにボルト５ａ、５ｂをかしめて固着しているので、Ｐ導体１ａ、１ｂは一種類のヒューズ２にしか対応できず、容量が異なる毎にヒューズ２のみならずＰ導体１ａ、１ｂも取り替えて使用する必要がある。このため部品の共通化ができないという欠点がある。また、かしめボルト５ａ、５ｂの存在により保管、輸送の際に余分なスペースが必要になるという欠点もある。さらに、かしめボルト５ａ、５ｂのＰ導体１ａ、１ｂに対する固着及びボルト５ａ、５ｂに対するナット掛けに起因し、作業工数が増大するという欠点もある。また、従来技術に係る導体の構造ではＰ導体１ａ、１ｂの下方にはＮ導体３が在り、このＮ導体３の存在のためボルト５ａ、５ｂをＰ導体１ａ、１ｂに貫通させて設けることができないという制限も組み立て作業性を悪化させる原因となっている。
【０００７】
本発明は、上記従来技術に鑑み、部品の共通化を図り、組み立て工数の合理化等も図り得る電力変換装置の導体の構造を提供することを目的とする。
【０００８】
【課題を解決するための手段】
上記目的を達成する本発明の構成は、
ヒューズに対して直角に配設した２個の導電部材をヒューズの両端部に接続し、全体としてコ字状の部材とするとともに、複数種類のヒューズに対応するこのヒューズを固定するボルトのための複数個の孔を各導電部材にそれぞれ設けた一方の導体と、
コ字状の上辺と下辺とを接続する部材が起立するように折曲した折曲部を有し、この折曲部がヒューズと隣接するとともにヒューズを含めた一方の導体と相対向する充電部の面積がほぼ等しくなるように形成した他方の導体とを
絶縁部材を介して重ね合わせたことを特徴とする。
【０００９】
【発明の実施の形態】
以下本発明の実施の形態を図面に基づき詳細に説明する。図１は本発明の実施の形態に係る電力変換装置の導体の構造を示す斜視図である。同図中、図２と同一部分には同一番号を付し重複する説明は省略する。
【００１０】
図１に示すように、一方の導体であるＰ導体１１は、ヒューズ２に対して直角に配設した２個の導電部材１１ａ、１１ｂをヒューズ２の両端部に接続し、全体としてコ字状になるように構成したものである。導電部材１１ａ、１１ｂは矩形のバーであり、複数種類のヒューズ２に対応する複数個（本例では２個）のタップ孔１２ａ、１２ｂ、１２ｃ、１２ｄが形成してある。かくしてヒューズ２の端子板２ａ、２ｂに挿入するボルト（図示せず）をタップ孔１２ａ、１２ｂ、１２ｃ、１２ｄに螺合することによりヒューズ２を各導電部材１１ａ、１１ｂに固定するようになっている。
【００１１】
他方の導体であるＮ導体１３は、コ字状の上辺と下辺とを接続する部材が起立するように直角に折曲した折曲部１３ａを有し、この折曲部１３ａがヒューズ２と隣接するとともにヒューズ２を含めたＰ導体１１と相対向する充電部の面積がほぼ等しくなるように形成したものである。
【００１２】
上記Ｐ導体１１及びＮ導体１３は絶縁紙４を介して重ね合わせてある。この結果、Ｎ導体１３をＰ導体１１に重ね合わせた際にＮ導体１３の折曲部１３ａにより導電部材１１ａ、１１ｂ側に形成されるスペースにヒューズ２を配設することができ、このように構成することによりＰ導体１１及びＮ導体１３の抵抗値のバランスが崩れて、また両者でキャンセルされるリアクタンスのバランスが崩れてサージ電圧が大きくなるということもない。
【００１３】
かかる本形態によれば導電部材１１ａ、１１ｂは複数の容量の電力変換装置、すなわち複数の容量のヒューズ２に共用することができる。一方、ヒューズ２の部分とこれに対応するＮ導体１３の折曲部１３ａとの位置関係は図２に示す従来技術の場合と等価と見做すことができ、したがって両者の電気的な特性も等価であると見做すことができる。
【００１４】
また、本形態によればヒューズ２はボルトを導電部材１１ａ、１１ｂに螺合させるだけで固定することがてきるので、組み立て工数の可及的な低減を図り得る。このときタップ孔１２ａ、１２ｂ、１２ｃ、１２ｄの図中下方には何もないので、これらのタップ孔１２ａ〜１２ｄを貫通孔として形成することもできる。この場合には、ヒューズ２の端子板２ａ、２ｂの孔及び当該貫通孔を連通してボルトを通し、このボルトにナットを螺合させることにより固定する。
【００１５】
【発明の効果】
以上実施の形態とともに詳細に説明した通り、本発明によれば部品の共通化を図ることができるので、その分部品の保存及び運搬等が容易になる。また、電気的な特性、すなわち対サージ特性が悪化することもない。
【図面の簡単な説明】
【図１】本発明の実施の形態に係る電力変換装置の導体の構造を示す斜視図。
【図２】従来技術に係る電力変換装置の導体の構造を示す斜視図。
【図３】上記導体のインバータ装置における位置を説明するためのインバータ装置のブロック線図。
【符号の説明】
２                              ヒューズ
４                              絶縁紙
１１                              Ｐ導体
１１ａ、１１ｂ                    導電部材
１２ａ、１２ｂ、１２ｃ、１２ｄ    タップ孔
１３                              Ｎ導体
１３ａ                            折曲部
【図１】
0003582279.tif 000002
【図２】
0003582279.tif 000003
【図３】
0003582279.tif 000004